(57)【特許請求の範囲】
【請求項１】
記録に関わる信号を送信するフレキシブルケーブルを備えた記録装置において、
前記フレキシブルケーブルは、端子部が平板のままとされているとともに、
前記端子部から長手方向に所定距離離れた第１部分が長手方向に谷折り、若しくは山折りされ、
前記端子部から前記第１部分を越えてさらに長手方向に所定距離離れた第２部分が長手方向に山折り、若しくは谷折りされ、
さらに、前記端子部から見て、前記第２部分を超えたケーブル部分が幅方向に折り曲げられて複層化されていることを特徴とする記録装置。
【請求項２】
前記フレキシブルケーブルは、記録ヘッドの基板との接続線と記録材のカートリッジの基板との接続線とにより複層化されていることを特徴とする請求項１に記載の記録装置。
【発明の詳細な説明】
【０００１】
【発明の属する技術分野】
本発明は、記録に関わる信号を送信するフレキシブルケーブルを備えた記録装置に関する。
【０００２】
【従来の技術】
一般に、記録装置の１つであるインクジェット式プリンタは、給紙トレイに収納されている用紙を給紙ローラにより給紙し、紙送りローラと従動ローラとの間に挟持して記録部へ搬送する。そして、用紙に対して記録ヘッドからインク滴を吐出させて記録し、排紙ローラとギザローラとの間に挟持して排紙トレイに排紙するように概略構成されている。
【０００３】
上記記録ヘッドやインクカートリッジは、用紙の搬送方向と直交する方向に往復移動するキャリッジに搭載されているが、キャリッジが往復移動中であっても、プリンタ制御部は、記録ヘッドの制御信号をやり取りしたり、インクカートリッジのインク情報を読み書きする必要がある。このため、制御部のメイン基板と記録ヘッドの基板及びインクカートリッジのＣＳＩＣの基板とは、フレキシブルケーブルで電気的に接続されている。
【０００４】
このフレキシブルケーブルを１本で賄おうとすると幅広になり、装置の内部スペースの関係から配線することができなくなるので、制御部のメイン基板と記録ヘッドの基板とを接続するフレキシブルケーブルと、制御部のメイン基板とインクカートリッジのＣＳＩＣの基板とを接続するフレキシブルケーブルの２本とし、両者を両面テープで張り合わせて配線している。
【０００５】
【発明が解決しようとする課題】
上述したインクジェット式プリンタは、フレキシブルケーブルが２本配線されているため、制御部のメイン基板には２つのコネクタを実装する必要がある。このため、制御部のメイン基板の実装スペースを大きくしなければならなかった。
【０００６】
本発明の目的は、上記課題に鑑みてなされたものであり、種類の異なる信号のやり取りを幅が狭小の１本のフレキシブルケーブルで対応することができる記録装置を提供することにある。
【０００７】
【課題を解決するための手段】
上記目的達成のため、本発明の請求項に係る記録装置では、記録に関わる信号を送信するフレキシブルケーブルを備えた記録装置において、前記フレキシブルケーブルは、端子部が平板のままとされているとともに、前記端子部から長手方向に所定距離離れた第１部分が長手方向に谷折り、若しくは山折りされ、前記端子部から前記第１部分を越えてさらに長手方向に所定距離離れた第２部分が長手方向に山折り、若しくは谷折りされ、さらに、前記端子部から見て、前記第２部分を超えたケーブル部分が幅方向に折り曲げられて複層化されていることを特徴としている。また、本発明の請求項に係る記録装置では、前記フレキシブルケーブルは、記録ヘッドの基板との接続線と記録材のカートリッジの基板との接続線とにより複層化されていることを特徴としている。これにより、端子部が平板であるので、基板には１つのコネクタを実装すればよく、基板の実装スペースを小さくすることができるとともに、途中部分が複層化されているので、フレキシブルケーブルの幅は狭小のままで、種類の異なる信号をやり取りすることができる。
【０００８】
【発明の実施の形態】
以下、図面に基づいて本発明の実施の形態について詳細に説明する。
【０００９】
図１は、本発明の実施の形態に係る記録装置の１つであるインクジェット式プリンタの外部構成の全体を斜め前方から見た斜視図である。このインクジェット式プリンタ１００は、全体が幅方向に長く延びる直方体状の上部ハウジング１０１と下部ハウジング１０２を備えている。上部ハウジング１０１と下部ハウジング１０２は、スナップフィットにより締結されている。
【００１０】
上部ハウジング１０１の後方側には、給紙口１０３が形成されている。この給紙口１０３には、給紙される用紙が積層載置される給紙トレイ１１０及びこの給紙トレイ１１０の一端側に揃えられる給紙ガイド１１１が配設されている。給紙トレイ１１０は、給紙ガイド１１１から斜め上後方へ突き出るように配設されており、用紙を傾斜した状態で保持するようになっている。
【００１１】
上部ハウジング１０１の前方側には、排紙口１０４が形成されている。この排紙口１０４には、排紙される用紙が積層載置される排紙スタッカ１２０が配設されている。排紙スタッカ１２０は、不使用時は排紙口１０４から下部ハウジング１０２の裏面側に収納可能に、使用時は排紙口１０４から斜め上前方へ引出可能に配設されており、用紙を傾斜した状態で受けるようになっている。
【００１２】
さらに、排紙口１０４には、排紙スタッカ１２０が引き出された時に、排紙スタッカ１２０の非排紙側端部を幅方向に沿って保持するスタッカ保持部１２１が設けられている。なお、図１では、排紙スタッカ１２０は、下部ハウジング１０２の裏面側に収納された状態が示されている。
【００１３】
上部ハウジング１０１の上部から前面にかけて窓部１０５が形成されている。この窓部１０５は、透明もしくは半透明な湾曲した開閉自在なカバー１０６によって覆われている。このカバー１０６を開放することにより、インクカートリッジの交換作業や内部機構のメンテナンス作業等を容易に行うことができる。このカバー１０６の下部には、後で詳述する拡大透光部１０６ａが形成されている。また、上部ハウジング１０１の左後方側には、パワー系の操作ボタン１３１と操作系の操作ボタン１３２が配設されている。
【００１４】
図２は、図１のインクジェット式プリンタ１００の上部ハウジング１０１を取り外したときの内部構成の全体を斜め前方から見た斜視図、図３は、その主要部の断面側面図である。下部ハウジング１０２上には、プリンタコントローラを構成する図２に示すメイン基板１３０が縦置きに配置されていると共に、プリントエンジンを構成する図２に示す記録手段１４０と、図３に示す用紙の供給手段１５０及び搬送手段１６０等が配設されている。
【００１５】
メイン基板１３０には、図示しないＣＰＵ、ＲＯＭ、ＲＡＭ、ＡＳＩＣ等の制御素子や記憶素子、及びその他の各種回路素子が装着されており、その上端には、上述したパワー系の操作ボタン１３１や操作系の操作ボタン１３２が押された時にそれぞれ発光することによりユーザがスイッチオンを確認し得るように配置された発光ダイオード１３３、１３４が突設されている。
【００１６】
記録手段１４０は、キャリッジ１４１、記録ヘッド１４２、キャリッジモータ１４３、タイミングベルト１４４、吸引ポンプ１４５等を備えている。搬送手段１６０により搬送される用紙は、キャリッジモータ１４３とタイミングベルト１４４により走査されるキャリッジ１４１に搭載された記録ヘッド１４２により記録されるようになっている。この記録ヘッド１４２は、フルカラー印刷が可能なように、キャリッジ１４１内に収納された例えばイエロー、マゼンタ、シアン、ブラックの計４色のインクカートリッジ１４６から各色インクが供給されるようになっている。
【００１７】
そして、キャリッジ１４１に搭載されている記録ヘッド１４２の基板（図示せず）及びインクカートリッジ１４６のＣＳＩＣの基板（図示せず）は、メイン基板１３０と１本のフレキシブルケーブル１４７で電気的に接続されている。これにより、メイン基板１３０は、記録ヘッド１４２の基板と記録ヘッドの制御信号をやり取りしたり、インクカートリッジ１４６のＣＳＩＣの基板とインクカートリッジのインク情報を読み書きするようになっている。
【００１８】
上記フレキシブルケーブル１４７は、図４（Ａ）に示すように、端子部１４７ａから所定距離離れた２個所１４７ｂ、１４７ｃを一点鎖線部分は幅方向で山側に折り曲げ、点線部分は幅方向で谷側に折り曲げる。さらに、折り曲げ部分１４７ｃから他方の端子部に向かう途中部分の一端を長手方向で谷側に折り曲げる。この折り曲げ部分１４７ｄは、記録ヘッド１４２の基板との接続線１４７ｅと、インクカートリッジ１４６のＣＳＩＣの基板との接続線１４７ｆの境界線である。
【００１９】
すると、図４（Ｂ）に示すように折り畳むことができ、最終的に図４（Ｃ）に示すような端子部１４７ａが平板のままとされているとともに、途中部分の一端が折り曲げられて複層化１４７ｅ、１４７ｆされたフレキシブルケーブル１４７とすることができる。
【００２０】
これにより、端子部１４７ａが平板であるので、メイン基板１３０には１つのコネクタを実装すればよく、メイン基板１３０の実装スペースを小さくすることができる。また、途中部分が複層化１４７ｅ、１４７ｆされているので、フレキシブルケーブル１４７の幅は狭小のままで、記録ヘッド１４２の基板と記録ヘッドの制御信号をやり取りしたり、インクカートリッジ１４６のＣＳＩＣの基板とインクカートリッジのインク情報を読み書きすることができる。
【００２１】
供給手段１５０は、給紙トレイ１１０、給紙ガイド１１１、給紙ローラ１５１、ホッパ１５２、分離パッド１５３等を備えている。給紙トレイ１１０に積層載置され給紙ガイド１１１により揃えられた用紙Ｐは、給紙ローラ１５１の回転に伴うホッパ１５２の上昇により分離パッド１５３で給紙ローラ１５１に押付けられ、最上位の用紙Ｐから１枚ずつ分離されて搬送手段１６０へ給送されるようになっている。
【００２２】
搬送手段１６０は、紙送りローラ１６１と従動ローラ１６２、排紙ローラ１６３とギザローラ１６４、紙送りモータ１６５、排紙スタッカ１２０等を備えている。供給手段１５０から供給される用紙Ｐは、紙送りモータ１６５により駆動されている紙送りローラ１６１と従動ローラ１６２に挟持されて記録手段１４０へ搬送され、さらに紙送りモータ１６５により駆動されている排紙ローラ１６３とギザローラ１６４に挟持されて排紙スタッカ１２０へ搬送されるようになっている。
【００２３】
以上、本発明を種々の実施形態に関して述べたが、本発明は以上の実施形態に限られるものではなく、特許請求の範囲に記載された発明の範囲内で、他の実施形態についても適用されるのは勿論である。例えば、記録装置としてインクジェット式のプリンタを例に説明したが、これに限られるものではなく、フレキシブルケーブルを有する記録装置であれば、例えば熱転写式等のプリンタ、インクジェット式、熱転写式等のファクシミリ装置やコピー装置等にも適用可能である。さらに、記録装置のみならず、フレキシブルケーブルを有する電気機器にも適用可能である。
【００２４】
【発明の効果】
以上説明したように、本発明によれば、端子部が平板であるので、基板には１つのコネクタを実装すればよく、基板の実装スペースを小さくすることができるとともに、途中部分が複層化されているので、フレキシブルケーブルの幅は狭小のままで、種類の異なる信号をやり取りすることができる。
【図面の簡単な説明】
【図１】本発明の実施の形態に係る記録装置の１つであるインクジェット式プリンタの外部構成の全体を斜め前方から見た斜視図である。
【図２】図１のインクジェット式プリンタの上部ハウジングを取り外したときの内部構成の全体を斜め前方から見た斜視図である。
【図３】図２のインクジェット式プリンタの主要部の断面側面図である。
【図４】図１のインクジェット式プリンタのフレキシブルケーブルを示す斜視図である。
【符号の説明】
１００    インクジェット式プリンタ
１０１    上部ハウジング
１０２    下部ハウジング
１０３    給紙口
１０４    排紙口
１０５    窓部
１０６    カバー
１１０    給紙トレイ
１１１    給紙ガイド
１２０    排紙スタッカ
１３０    メイン基板
１４０    記録手段
１４１    キャリッジ
１４２    記録ヘッド
１４３    キャリッジモータ
１４４    タイミングベルト
１４５    吸引ポンプ
１４６    インクカートリッジ
１４７    フレキシブルケーブル
１５０    供給手段
１５１    給紙ローラ
１６０    搬送手段
１６１    紙送りローラ
１６５    紙送りモータ
【図１】
0004003051.tif 000002
【図２】
0004003051.tif 000003
【図３】
0004003051.tif 000004
【図４】
0004003051.tif 000005